(57)【要約】【課題】使用済みの使い捨てパンツ等の排泄物吸収体を簡単な操作で収納できる処理袋を提供すること。【解決手段】処理袋１は、長さの異なる状態にプラスチックシートを三つ折りにして、逆向きに開口する第１、第２の袋部分７、８が形成されている。第１の袋部分７に使い捨てパンツ９を入れ、第２の袋部分８の側を折り返して第１の袋部分７をその開口部７ａの側から包み込む。第１の袋部分７の開口部７ａには段差が付いているので当該開口部７を開けて使い捨てパンツ９を入れる操作が容易である。第２の袋部分８の開口部８ａには広い段差が付いているので、そこに指を入れて表裏反転させる操作を簡単にできる。【選択図】図３
2016164089.tif 000002
【特許請求の範囲】
【請求項１】
不透水性および可撓性を備えたプラスチックシートがその長さ方向に三つ折りにされて、第１のシート部分と、この上に折り返された第２のシート部分と、この上に折り返された第３のシート部分とが形成され、
前記第１のシート部分は前記第２のシート部分とは長さが異なり、前記第３のシート部分の長さは前記第２のシート部分よりも短く、
前記第１、第２、第３のシート部分の幅方向の両側の縁が接合されて、前記第１、第２のシート部分の間に、前記長さ方向の一方の側に開口する第１の袋部分が形成され、前記第２、第３のシート部分の間に、前記長さ方向の他方の側に開口し、前記第１の袋部分よりも浅い第２の袋部分が形成されており、
前記第１の袋部分は排泄物吸収体の収納部分であり、
前記第２の袋部分は表裏反転させて前記第１の袋部分を開口側から包み込み可能なことを特徴とする排泄物吸収体の処理袋。
【請求項２】
前記第１の袋部分の開口部を規定している前記第１のシート部分の縁端と前記第２、第３のシート部分の折り返し縁との間の前記長さ方向のずれ量を第１のずれ量とし、
前記第２の袋部分の開口部を規定している前記第１、第２のシート部分の折り返し縁と前記第３のシート部分の縁端との間の前記長さ方向のずれ量を第２のずれ量とすると、
前記第１のずれ量に比べて前記第２のずれ量の方が大きい請求項１に記載の排泄物吸収体の処理袋。
【請求項３】
前記プラスチックシートは消臭剤が練り込まれたシートである請求項１または２に記載の排泄物吸収体の処理袋。
【請求項４】
前記第１の袋部分の内周面の少なくとも一部には、消臭剤が担持された消臭剤シートが貼り付けられており、
前記消臭剤シートは、紙製の消臭剤担持シートの両面に不織布を圧着した３層構造の不織布貼り合わせシートである請求項１または２に記載の排泄物吸収体の処理袋。
【請求項５】
前記消臭剤シートは、前記第１の袋部分における前記第２の袋部分の側の内周面において、その幅方向の全幅に亘って貼り付けられており、
前記内周面における前記消臭剤シートの貼り付け位置は、前記第１の袋部分の深さ方向における中央位置よりも開口部の側に近い位置である請求項４に記載の排泄物吸収体の処理袋。
【請求項６】
前記第３のシート部分の外側表面における前記第１の袋部分の開口部の近傍位置には、当該開口部の位置を表示するための表示用ラベルが貼り付けられている請求項１ないし５のうちのいずれか一つの項に記載の排泄物吸収体の処理袋。
【請求項７】
矩形輪郭の小分け袋に、積層状態で収納された複数枚の排泄物吸収体の処理袋を有し、
前記処理袋は、請求項１ないし６のうちのいずれか一つの項に記載の処理袋であり、
各処理袋は、積層方向の上側表面に前記第３のシート部分の縁端が現れるように、長さ方向に半分に折り畳まれた後に幅方向に半分に折り畳まれた四つ折り状態とされており、
最も上に積層されている前記処理袋に対峙する前記小分け袋の部分には、所定長さに亘って切り離し可能なミシン目が形成されている排泄物吸収体の処理袋の携帯用パック。
【発明の詳細な説明】
【技術分野】
【０００１】
本発明は、使用済みの使い捨ておむつ、失禁用パッド、ペット用の排泄物吸収パッドなどの各種の排泄物吸収体の収納に適した排泄物吸収体の処理袋、および、当該処理袋を携帯するのに便利な携帯用パックに関する。
【背景技術】
【０００２】
この種の処理袋としては、特許文献１において提案されている汚物収納袋がある。この汚物収納袋は、同一の大きさの矩形の３枚のシートを重ねて、逆向きに開口する２つの袋部分が形成された構造となっている。一方の袋部分に汚物を入れた後に、他方の袋部分を表裏反転させて汚物を収納した袋部分を開口側から包み込むことで、汚物収納袋内に汚物を封入して持ち運ぶことができる。
【先行技術文献】
【特許文献】
【０００３】
【特許文献１】実用新案登録第３１３３３０８号公報
【発明の概要】
【発明が解決しようとする課題】
【０００４】
この構造の処理袋は、使用済みの排泄物吸収体を収納した後に紐等を用いて袋の口を縛る必要がないので便利である。しかしながら、従来の処理袋には次のような解決すべき課題がある。
【０００５】
（１）処理袋は不透水性の薄いプラスチックシートから形成されており、また、同一の大きさの３枚のシートを重ねて逆向きに開口する２つの袋部分が形成されている。処理袋における２つの袋部分の開口部の位置が分かりづらいことがある。また、相互に貼り付いているシートをずらして袋部分の開口部を開ける必要があり、開口部が簡単に開かないことがある。
（２）一方の袋部分に排泄物吸収体を収納した後に、他方の袋部分を表裏反転させて排泄物吸収体が収納された袋部分を口側から包み込む操作を、簡単に行うことができないことがある。
（３）排泄物吸収体を入れた袋部分の口を完全に密閉できるわけではないので、捨てるまでの一時保管している間に、悪臭が漏れ出て不快な思いをすることがある。
（４）この種の処理袋は使い捨てであるので、なるべく廉価に製作できることが望ましい。
（５）乳児用の使い捨ておむつ、失禁用パッドなどは、外出中において交換等が必要になることがある。したがって、処理袋を手軽に携帯でき、使用時には簡単に取り出すことのできる携帯用パックがあると便利である。
【０００６】
本発明の課題は、このような点に鑑みて、開口部を簡単に開けることができ、排泄物吸収体を収納した袋部分の口を他方の袋部分を表裏反転させて包み込む操作を簡単に行うことができる廉価な排泄物吸収体の処理袋を提供することにある。
【０００７】
また、本発明の課題は、収納した排泄物吸収体からの臭いが外部に漏れ出ることのない排泄物吸収体の処理袋を提供することにある。
【０００８】
さらに、本発明の課題は、排泄物吸収体の処理袋を携帯するのに便利な携帯用パックを提供することにある。
【課題を解決するための手段】
【０００９】
上記の課題を解決するために、本発明の排泄物吸収体の処理袋は、
不透水性および可撓性を備えたプラスチックシートがその長さ方向に三つ折りにされて、第１のシート部分と、この上に折り返された第２のシート部分と、この上に折り返された第３のシート部分とが形成され、
前記第１のシート部分は前記第２のシート部分とは長さが異なり、前記第３のシート部分は前記第２のシート部分よりも長さが短く、
前記第１、第２、第３のシート部分の幅方向の両側の縁が接合されて、前記第１、第２のシート部分の間に、前記長さ方向の一方の側に開口する第１の袋部分が形成され、前記第２、第３のシート部分の間に、前記長さ方向の他方の側に開口し、前記第１の袋部分よりも浅い第２の袋部分が形成されており、
前記第１の袋部分は排泄物吸収体の収納部分であり、
前記第２の袋部分は表裏反転させて前記第１の袋部分を開口側から包み込み可能なことを特徴としている。
【００１０】
例えば、不透水性および可撓性を備えたプラスチックシートがその長さ方向に三つ折りにされて、最も長い第１のシート部分と、この上に折り返された次に長い第２のシート部分と、この上に折り返された最も短い第３のシート部分とが形成される。
【００１１】
本発明では異なる長さの第１〜第３のシート部分が重なるようにシートを三つ折りにして、逆向きに開口する第１、第２の袋部分を形成している。この結果、第１の袋部分の開口部は、第１のシート部分の縁端と、この縁端に対してシート長さ方向にずれた位置に形成される第２、第３のシート部分の折り返し縁とによって規定される。第２の袋部分の開口部は、第３のシート部分の縁端と、この縁端に対してシート長さ方向にずれた位置に形成された第１、第２のシート部分の折り返し縁とによって規定される。このように、開口部を規定している縁がずれている（段差が付いている）ので、開口部の位置が分かり易く、また、開口部を簡単に開けることができる。
【００１２】
また、排泄物吸収体を収納する第１の袋部分の深さは第２のシート部分の長さによって規定され、表裏を反転させて第１の袋部分を開口側から包み込むための第２の袋部分の深さは第３のシート部分によって規定される。第３のシート部分の長さを最も短くすれば、第２の袋部分の深さは第１の袋部分よりも浅くなる。このようにすれば、浅い第２の袋部分を表裏反転させて第１の袋部分を開口側から包み込めばよいので、第１の袋部分と同じ深さの第２の袋部分を表裏反転させて第１の袋部分を包み込む場合に比べて、操作がより簡単にできる。
【００１３】
さらに、同一の長さの３枚のシート部分から処理袋を製作する場合に比べて、１枚の処理袋を製作するために必要なシートの長さを短くできる。よって、その分、製作コストを低減できるので好ましい。
【００１４】
ここで、第２の袋部分は第１の袋部分を開口部側から包み込むことのできる大きさ（深さ）が有ればよいので、なるべく第３のシート部分を短くすることが製作コストの観点から望ましい。これに対して、第１の袋部分は排泄物吸収体を収納する部分であるので、開口部がなるべく密閉状態に近くなるように、ずれ量（段差寸法）を少なくしておくことが望ましい。
【００１５】
したがって、第１の袋部分の開口部を規定している第１のシート部分の縁端と第２、第３のシート部分の折り返し縁との間の前記長さ方向のずれ量を第１のずれ量とし、第２の袋部分の開口部を規定している第１、第２のシート部分の折り返し縁と第３のシート部分
の縁端との間の前記長さ方向のずれ量を第２のずれ量とした場合に、第１のずれ量に比べて第２のずれ量の方を大きくしておけばよい。
【００１６】
次に、収納した排泄物吸収体からの臭いが外部に漏れ出ることを防止あるいは抑制するために、プラスチックシートとして消臭剤が練り込まれたシートを用いることが望ましい。
【００１７】
この代わりに、第１の袋部分の内周面の少なくとも一部に、消臭剤が担持された消臭剤シートを貼り付けておいてもよい。この場合の消臭剤シートとしては、紙製の消臭剤担持シートの両面に不織布を圧着した３層構造の不織布貼り合わせシートを用いることができる。
【００１８】
また、消臭剤シートを用いる場合には、消臭剤シートを、第１の袋部分における第２の袋部分の側の内周面において幅方向の全幅に亘って貼り付け、当該内周面における消臭剤シートの貼り付け位置を、第１の袋部分の深さ方向における中央位置よりも開口部の側に近い位置にしておくことが望ましい。
【００１９】
第１の袋部分の内部において全幅に亘って消臭剤シートを貼り付けておくことにより、開口部から漏れ出る臭いを、確実に消臭剤シートに吸収できる。また、深さ方向における中央位置よりも開口側に貼り付けておくと、第２の袋部分によって開口側から包み込まれた状態において、消臭剤シートが、収納されている排泄物吸収体に対して、開口側から覆いかぶさる状態を形成できる。これにより、開口側に向かう臭いを消臭剤シートによって確実に捕捉できるので、臭いが外部に漏れ出ることを効率良く防止あるいは抑制できる。また、内周面の全体に消臭剤シートを貼り付ける場合に比べて、製作コストを低減でき、しかも、所定の消臭効果を保持することができる。
【００２０】
次に、排泄物吸収体を入れる第１の袋部分の開口部の位置を明示するために、第３のシート部分の外側表面における第１の袋部分の開口部の近傍位置に、当該開口部の位置を表示するための表示用ラベルを貼り付けておくことが望ましい。
【００２１】
このようにすれば、一瞥しただけで、排泄物吸収体を入れる口が分かる。また、表示用ラベルとして、腰の強いラベル、例えば、処理袋のシートよりも腰の強いラベルを張り付けておけば、ラベルの部分を掴むことで簡単に口を開けることができるので便利である。
【００２２】
一方、上記構成の処理袋の携帯用パックは、
矩形輪郭の小分け袋に積層状態で複数枚の排泄物吸収体の処理袋が収納されており、
各処理袋は、積層方向の上側表面に第３のシート部分の縁端が現れるように、長さ方向に半分に折り畳まれた後に幅方向に半分に折り畳まれた四つ折り状態とされており、
最も上に積層されている処理袋に対峙する小分け袋の部分には、所定長さに亘って切り離し可能なミシン目が形成されていることを特徴としている。
【００２３】
この携帯用パックは、テッシュペーパーのパック等と同様に手軽に携帯することができる。また、ミシン目に沿って切り離して開けると、四つ折り状態で積層されている処理袋を上側から１枚ずつ取り出して使用でき、便利である。
【図面の簡単な説明】
【００２４】
【図１】本発明を適用した成人用の使い捨て失禁パンツ（大人用の使い捨ておむつ）の処理袋を示す正面図、斜視図および縦断面を示す説明図である。
【図２】消臭剤シートの一例を示す説明図である。
【図３】図１の処理袋の使い方を示す説明図である。
【図４】本発明を適用した失禁用パッド（尿取りパッド）の処理袋を示す正面図および小分け袋を示す正面図である。
【図５】図４の処理袋が小分け袋に収納された構成の携帯用パックの構成を示す説明図である。
【発明を実施するための形態】
【００２５】
以下に、図面を参照して本発明を適用した排泄物吸収体の処理袋および携帯用パックの実施の形態を説明する。
【００２６】
（実施の形態１）
図１（ａ）は本発明を適用した成人用の使い捨て失禁パンツ（大人用の使い捨ておむつ）の処理袋を示す正面図であり、図１（ｂ）はその斜視図であり、図１（ｃ）はその縦断面を示す説明図である。
【００２７】
本例の成人用の使い捨て失禁パンツ（以下、単に「使い捨てパンツ」という。）の処理袋１は、不透水性および可撓性を備えたプラスチックシートがその長さ方向に三つ折りにされて、最も長い第１のシート部分２と、この上に折り返された次に長い第２のシート部分３と、この上に折り返された最も短い第３のシート部分４とが形成されている。また、第１、第２、第３のシート部分２、３、４の幅方向の両側の縁が一定幅で相互にヒートシールされたシール部５となっている。
【００２８】
これにより、第１、第２のシート部分２、３の間には、シート長さ方向６の一方の側（上端側）が開口部７ａとなっている第１の袋部分７が形成されている。また、第２、第３のシート部分３、４の間には、シート長さ方向６の他方の側（下端側）が開口部８ａとなっている、第１の袋部分７よりも浅い第２の袋部分８が形成されている。第１の袋部分７は、使用済みの排泄物吸収体、本例では使用済みの使い捨てパンツの収納部分である。第２の袋部分８は、表裏反転させて第１の袋部分７をその開口部７ａの側から包み込むための部分である。
【００２９】
本例では、第１のシート部分２に比べて、第２のシート部分３は僅かに短い。これにより、第１の袋部分７の開口部７ａを規定している第１のシート部分２の縁端２ａと第２、第３のシート部分３、４の上端側の折り返し縁３ａとの間には、開口部７ａを開け易くするための段差が出来ている。これに対して、第２のシート部分３に比べて、第３のシート部分４の長さは約３／５と大幅に短いので、第２の袋部分８の開口部８ａを規定している第３のシート部分４の縁端４ａは、第１、第２のシート部分２、３の下端側の折り返し縁２ｂとの間に大きな段差が付いている。このため、第２のシート部分３に沿って指などを開口部８ａに簡単に入れることができ、当該第２の袋部分８を表裏反転させる操作をスムーズに行うことができる。
【００３０】
ここで、処理袋１の素材であるプラスチックシートとしては、低密度ポリエチレンフィルム等を用いることができる。また、プラスチックシートとして、消臭剤が練り込まれたものを用いることもできる。本例では、次に述べるように、第１の袋部分７の内周面７ｂの少なくとも一部分に、消臭剤が担持された消臭剤シート１０が貼り付けられている。
【００３１】
図２（ａ）は消臭剤シート１０の貼り付け位置を示す説明図であり、図２（ｂ）は消臭剤シート１０を示す正面図であり、図２（ｃ）は消臭剤シート１０の構造を示す説明図である。
【００３２】
まず、図１（ｃ）、図２（ａ）から分かるように、消臭剤シート１０は細長い矩形のシートであり、第１の袋部分７における第２の袋部分８の側の内周面７ｂにおいて、その幅
方向のほぼ全幅に亘って配置されている。消臭剤シート１０は、第１、第２、第３のシート部分２、３、４の幅方向の両側の縁と共にヒートシールされて、第１、第２のシート部分の両側の縁の間に挟み込まれた状態で固定されている。この代わりに、消臭剤シート１０を粘着剤によって内周面７ｂに貼り付けることも可能である。また、内周面７ｂにおける消臭剤シート１０の貼り付け位置は、第１の袋部分７の深さ方向（シート長さ方向６）における中央位置よりも僅かに開口部７ａの側に近い位置とされている。
【００３３】
本例の消臭剤シート１０は、図２（ｃ）に示すように、紙製の消臭剤担持シート１０ａの両面に、同一形状の不織布１０ｂ、１０ｃを圧着した３層構造の不織布貼合シートである。勿論、これ以外の構造の消臭剤シートを用いることも可能である。
【００３４】
さらに、本例の処理袋１においては、図１（ａ）、（ｂ）に示すように、第１の袋部分７の開口部７ａの位置および当該開口部７ａが使用済みの使い捨てパンツを入れるための開口であることを表示する矩形の表示用ラベル１１が貼り付けられている。
【００３５】
表示用ラベル１１は、第３のシート部分４の外側表面の幅方向の中央部分における第１の袋部分７の開口部７ａの近傍位置に貼り付けられている。また、表示用ラベル１１の表面には、開口部７ａの位置を示す「矢印」のマークと、「こちらから入れてください」等のメッセージが印刷されている。さらに、表示用ラベル１１は紙製、不織布製あるいはプラスチック製のラベルである。例えば、処理袋１のプラスチックシートよりも腰が強い素材から製作されており、ここを摘まむことで、簡単に、開口部７ａを広げることができるようになっている。なお、表示用ラベル１１を第３のシート部分４の外側表面に貼り付ける代わりに、当該外側表面に直接にラベル部分を印刷することも可能である。
【００３６】
次に、図３を参照して、処理袋１の使い方（使用済みの使い捨てパンツ９を収納する操作）を簡単に説明する。この図に示すように、処理袋１の第１の袋部分７の開口部７ａを広げて、使用済みの使い捨てパンツ９を当該第１の袋部分７に入れる（ＳＴ１）。次に、第２の袋部分８の開口部８ａから両手の指を入れる。すなわち、折り返し部分である第３のシート部分４の内側に両手の指を入れる（ＳＴ２）。この第３のシート部分４を裏返して、第１の袋部分７の開口部７ａの側から当該第１の袋部分７を包み込む（ＳＴ３）。この結果、使い捨てパンツ９が収納された状態のコンパクトな処理袋１が得られる（ＳＴ４）。
【００３７】
この収納状態においては、使い捨てパンツ９を入れた第１の袋部分７の開口部７ａが確実に第３のシート部分４によって包み込まれて閉じられている。また、第１の袋部分７の内周面に貼り付けられている消臭剤シート１０が開口部７ａの側から使い捨てパンツ９に覆いかぶさった状態になる。したがって、内部から外部に臭いが漏れ出ることを防止あるいは抑制できる。
【００３８】
（実施の形態２）
図４（ａ）は、上記の処理袋１よりもサイズの小さな処理袋を示す正面図であり、図４（ｂ）は処理袋の小分け袋の一例を示す正面図である。
【００３９】
図４（ａ）に示す処理袋２０は、例えば、乳幼児用の使い捨ておむつの収納、成人用の失禁用パッド（尿取りパッド）、ペット用排泄物処理パッド等のように、上記の例における使い捨てパンツ９よりも小さなサイズの排泄物吸収体の収納に用いられる。この処理袋２０の基本的な構造は処理袋１と同一であり、三つ折りにされた第１、第２、第３のシート部分２２、２３、２４、第１、第２の袋部分２７、２８、消臭剤シート３０、表示用ラベル３１を備えている。排泄物吸収体の収納方法も上記の場合と同一である。異なる点は、消臭剤シートの代わりに、処理袋２０の樹脂（ポリエチレン）に消臭剤を直接に練り込
んであることである。勿論、消臭剤シートを貼り付ける構成を採用することも可能である。
【００４０】
図４（ｂ）に示す小分け袋４０は、処理袋２０よりも小さな長方形輪郭の袋であり、例えば、携帯用のティッシュペーパーの袋と同一のサイズである。この小分け袋４０の表面側のシート面４１には、幅方向に直線状に延びるミシン目４２が形成されており、ミシン目４２を切り離すことで、この部分が開口部となり、ここから内部の処理袋２０を一枚ずつ取り出すことができるようになっている。
【００４１】
図５は小分け袋に収納される処理袋の状態および処理袋の取り出し状態を示す説明図である。この図に示すように、矩形輪郭の小分け袋４０には、積層状態で複数枚の排泄物吸収体の処理袋２０が収納される。
【００４２】
各処理袋２０は、積層方向の上側表面に第３のシート部分２４の縁端２４ａが現れるように、長さ方向に半分に折り畳まれた後に幅方向に半分に折り畳まれた四つ折り状態とされる。この四つ折り状態で、複数枚、例えば１０枚の処理袋２０を重ねて小分け袋４０に入れて、処理袋の携帯用パック５０が完成する。
【００４３】
小分け袋４０には、最も上に積層されている処理袋２０に対峙する部分に切り離し可能なミシン目４２が形成されている。このミシン目４２を開けて、上側から処理袋２０を１枚ずつ取り出して使用することができる。
【符号の説明】
【００４４】
１    処理袋
２    第１のシート部分
２ａ  縁端
２ｂ  折り返し縁
３    第２のシート部分
３ａ  折り返し縁
４ａ  縁端
４    第３のシート部分
５    シール部
６    シート長さ方向
７    第１の袋部分
７ａ  開口部
７ｂ  内周面
８    第２の袋部分
８ａ  開口部
９    使い捨てパンツ
１０  消臭剤シート
１０ａ  消臭剤担持シート
１０ｂ，１０ｃ  不織布
１１  表示用ラベル
２０  処理袋
２２  第１のシート部分
２３  第２のシート部分
２４  第３のシート部分
２７  第１の袋部分
２８  第２の袋部分
３０  消臭剤シート
３１  表示用ラベル
４０  小分け袋
４１  表面側のシート面
４２  ミシン目
５０  携帯用パック
【図１】
2016164089.tif 000003
【図２】
2016164089.tif 000004
【図３】
2016164089.tif 000005
【図４】
2016164089.tif 000006
【図５】
2016164089.tif 000007